(57)【要約】      （修正有）【課題】位置情報に基づくサービスを使用する権限の決定およびサービスの提供の実行が高い空間的正確度を伴い、かつサービスの使用を希望する者の動作を伴うことなく単純な方法で生じる位置情報に基づくサービス提供方法を提供する。【解決手段】カスタマ媒体の位置特定が、カスタマ媒体の検出に基づいて実行され、カスタマ媒体の媒体情報が、１つの場所に割り当てられ、読み取りデバイスのレンジ内にカスタマ媒体がある場合に、読み取りデバイスとカスタマ媒体の間における自動的に実行可能な非接触インタラクションに基づいて記録され、カスタマ媒体がＲＦトランシーバを包含し、所定の周波数レンジで読み取りデバイスを介してコンピュータと通信し、有効な権限の場合には、その場所に割り当てられた読み取りデバイスを介したカスタマ媒体の検出に応じた位置情報に基づくサービスが提供される。【選択図】図１
2015032320.tif 000002
【特許請求の範囲】
【請求項１】
人が位置情報に基づくサービスを使用するための権限の決定を、カスタマ媒体の非接触検出およびその媒体情報の評価を用いて達成する、位置情報に基づくサービスを提供するための方法であって、
前記カスタマ媒体の位置特定が前記カスタマ媒体の検出に基づいて決定され、
１つの場所に割り当てられ、コンピュータと接続された少なくとも１つの読み取りデバイスのレンジ内に前記カスタマ媒体がある場合に、前記カスタマ媒体の前記媒体情報が、前記少なくとも１つの読み取りデバイスと前記カスタマ媒体の間における自動的に実行実行可能な非接触インタラクションに基づいて記録され、
前記カスタマ媒体がＲＦトランシーバを包含し、所定の周波数レンジで少なくとも１つの読み取りデバイスを介して前記コンピュータと通信し、
有効な権限の場合に、前記場所に割り当てられた少なくとも１つの読み取りデバイスを介した前記カスタマ媒体の検出に応じた位置情報に基づくサービスが提供され、
前記カスタマ媒体は、少なくとも１つの読み取りデバイスを介してコンピュータによって前記カスタマ媒体のエネルギ消費が最小化されるような態様でコントロールされる、
ことを特徴とする位置情報に基づくサービスを提供するための方法。
【請求項２】
デバイスとのデータ通信の目的のために、前記カスタマ媒体は、前記デバイス内または前記デバイス上に配置可能であり配設、もしくは非接触で前記デバイスと接続可能であり、
前記デバイスがデータ入出力デバイスとして使用され、前記カスタマ媒体と前記デバイスの間のデータ交換が前記カスタマ媒体と前記デバイスの間のインターフェースを介して行われる、
ことを特徴とする請求項１に記載の位置情報に基づくサービスを提供するための方法。
【請求項３】
前記カスタマ媒体が電子ウォレットとしても使用可能であり、
前記カスタマ媒体に特定の金額をチャージ可能であり、このチャージされた金額は少なくとも１つの読み取りデバイスを介した前記コンピュータとの通信の結果として電子的に引き落とすことが可能である、
ことを特徴とする、請求項１または２に記載の位置情報に基づくサービスを提供するための方法。
【請求項４】
位置情報に基づくサービスとして、前記場所についての情報、前記場所内にあるかまたは前記場所に関連付けされた物体についての情報、または前記場所において提供されるサービスが、電子形式で、ビデオおよび／またはオーディオ・ファイルの形式またはビデオおよび／またはオーディオ・データ・ストリームの形式で少なくとも１つの読み取りデバイスが割り当てられた前記カスタマ媒体に送信し、前記デバイスへのインターフェースを介した前記デバイスと前記カスタマ媒体の接続がある場合には、それが前記デバイスに転送され、表示または再生される、
ことを特徴とする、請求項１、２、または３に記載の位置情報に基づくサービスを提供するための方法。
【請求項５】
位置情報に基づくサービスとして、商品、チケット、または搭乗券の自動化された発行が、前記商品、チケット、または搭乗券を使用する有効な権限とともに実行されるか、または前記カスタマ媒体が追加的に電子ウォレットとして使用される場合には、自動販売機に割り当てられた少なくとも１つの読み取りデバイスにより前記カスタマ媒体が検出され、前記カスタマ媒体から合計金額の引き落とし後に実行される
ことを特徴とする、請求項１、２、または３に記載の位置情報に基づくサービスを提供するための方法。
【請求項６】
固定カメラに割り当てられた少なくとも１つの読み取りデバイスによる前記カスタマ媒体の検出の後、前記サービスを使用する有効な権限に応答して、または前記カスタマ媒体が追加的に電子ウォレットとして使用される場合には前記カスタマ媒体からの合計金額の引き落とし後に、所定の背景の正面にいる前記カスタマ媒体に割り当てられた人の写真を撮影するために前記固定カメラが起動され、この写真がデジタル形式で前記カメラに割り当てられた少なくとも１つの読み取りデバイスを介して前記カスタマ媒体に送信されるか、サーバ上に集められて保存される、
ことを特徴とする、請求項１、２、または３に記載の位置情報に基づくサービスを提供するための方法。
【請求項７】
前記カスタマ媒体の位置特定が、少なくとも１つの読み取りデバイスが媒体情報を受信した信号強度に基づいて、および／またはカスタマ媒体と少なくとも１つの読み取りデバイスの間のデータの持続時間に基づいて決定される、
ことを特徴とする、先行する請求項のいずれかに記載の位置情報に基づくサービスを提供するための方法。
【請求項８】
前記方法の開始時に、前記カスタマ媒体が少なくとも１つの読み取りデバイスのレンジの外側で『スリープ』モードにあり、このスリープ・モードにおいては有意の電気的な活動が生じず、前記カスタマ媒体が独自の電源を有する場合には、それによって前記カスタマ媒体に電力を供給するバッテリが使用されず、
少なくとも１つの読み取りデバイスがウェイクアップ段階の一部として規則的な間隔で『ウェイクアップ』信号を送信し、前記カスタマ媒体がこの信号を受信すると、『ウェイクアップ』信号の有効な検出時に前記カスタマ媒体のアクティブ化およびアクティブ・モードへの移行が行われ、
その後、前記カスタマ媒体からセッションＩＤを計算するデータが送信され、それが少なくとも１つの読み取りデバイスによって受信されて前記コンピュータへ送られ、
前記カスタマ媒体が媒体情報を送信し、それが少なくとも１つの読み取りデバイスを介して受信されて読み取りデバイスのＩＤおよび前記読み取りデバイスが前記信号を受信した信号強度および／またはカスタマ媒体と少なくとも１つの読み取りデバイスの間におけるデータの持続時間によって補足されて、少なくとも１つの読み取りデバイスと接続された前記中央コンピュータへ転送され、
前記位置情報に基づくサービスを使用する権限がある場合に、前記媒体情報が前記コンピュータによって処理されて提供され、
前記媒体情報の評価後に、タイムスタンプおよび、スリープ・モードへの移行後に少なくとも１つの読み取りデバイスを介して前記コンピュータに前記媒体情報を送信する次の接触までの所定の持続時間を含む受領応答が送信され、
その後、前記カスタマ媒体が前記所定の持続時間にわたるアイドル・モードにシフトし、前記アイドル・モードでは前記『スリープ』モードへの移行または前記アクティブ・モードへの移行をコントロールするために前記カスタマ媒体の前記マイクロプロセッサのみがアクティブとなり、
前記アイドル・モードへの切り替わりが、前記受領応答の受信時に直ちに、または前記受領応答を含む前記信号内に含まれている所定の時間期間の後、または位置情報に基づく情報の送信後、またはサービスの使用の完了後、またはサービスの使用の完了後の新しい信号の後に行なわれ、
前記カスタマ媒体が前記アイドル・モードへの移行後の前記次の接触までの前記所定の時間の後に前記アクティブ・モードに入り、それの媒体情報を、さらなる位置特定を可能にするために少なくとも１つの読み取りデバイスを介して前記コンピュータに送信し、
前記コンピュータによる受領応答の送信のステップは、タイムスタンプおよび、アイドル・モードへの移行後に前記カスタマ媒体が前記コンピュータへ前記媒体情報を送信し、アイドル・モードへの前記移行後の前記次の接触までの前記所定の時間の後に前記カスタマ媒体が前記スリープ・モードに入るまでに前記媒体情報の送信を反復する次の接触までの所定の時間を含み、それが、前記媒体情報の前記送信に対する少なくとも１つの読み取りデバイスを介した前記コンピュータから受領応答を受信する試みを前記カスタマ媒体が所定の回数にわたって行なっても可能でなかった場合に生じる、
ことを特徴とする、先行する請求項のいずれかに記載の位置情報に基づくサービスを提供するための方法。
【請求項９】
前記場所固有のサービスが提供される前記現場内の空間的に区切られた場所の出口、または前記場所固有のサービスが提供される前記現場内の場所固有のサービスが提供されない空間的に区切られた場所の入口に少なくとも１つの読み取りデバイスが配設され、その種の読み取りデバイスが前記カスタマ媒体から前記媒体情報を受信した場合に、システムによって前記カスタマ媒体へ、前記場所固有のサービスが提供される前記空間的に区切られた場所の外にとどまる平均の長さまたは場所固有のサービスが提供されない現場内にとどまる平均の長さに対応する第２の所定の時間にわたって前記カスタマ媒体をアイドル・モードに入れる命令が送信される、
ことを特徴とする、請求項８に記載の位置情報に基づくサービスを提供するための方法。
【請求項１０】
前記場所固有のサービスが提供される前記現場の前記出口に少なくとも１つの読み取りデバイスが配設され、前記カスタマ媒体から前記媒体情報を受信した後に、この態様で前記カスタマ媒体の電力消費を下げるために、前記カスタマ媒体を前記『スリープ』モードに入れるシステム生成の命令を前記カスタマ媒体へ送信する、
ことを特徴とする、請求項８または９に記載の位置情報に基づくサービスを提供するための方法。
【請求項１１】
前記カスタマ媒体からのセッションＩＤを計算するデータの送信後に前記コンピュータと前記カスタマ媒体の間において認証が行なわれ、その結果、このカスタマ媒体は既知であり、かつ認証済みであるとしてマークされ、前記発生した認証は、前記アクティブ・モードから前記アイドル・モードへの移行では削除されず、前記認証は、前記スリープ・モードへの移行時に削除され、カスタマ媒体が前記スリープ・モードへ入った後は、更新されたウェイクアップ信号およびその後に続く更新された相互認証を用いてのみそれの検出および登録が可能になる
ことを特徴とする、請求項８、９、または１０に記載の位置情報に基づくサービスを提供するための方法。
【請求項１２】
前記相互認証の完了後、前記オンボード・ユニットと前記カスタマ媒体の間の通信が、暗号化され、かつオプションで署名されて生じ、それにおいて前記暗号化および署名は、カスタマ媒体毎に異なり、前記再登録の特徴は、再認証後の新しい異なる暗号化および可能性としての署名を有する、
ことを特徴とする、請求項１１に記載の位置情報に基づくサービスを提供するための方法。
【請求項１３】
位置情報に基づくサービスを提供するための、特に先行する請求項のうちのいずれかに記載の方法を実行するためのシステムであって、
１つの場所に割り当てられ、かつコンピュータに接続された少なくとも１つの読み取りデバイスおよび、所定の周波数レンジで少なくとも１つの読み取りデバイスを介して前記コンピュータと通信するカスタマ媒体を包含し、
前記カスタマ媒体が遠距離データ通信のために第１および第２のアンテナと、少なくとも１つの暗号エンジンを包含する集積回路と、前記集積回路と接続されるか、または前記集積回路内に統合されるマイクロプロセッサと、前記第２のアンテナに接続されるオペアンプおよびＲＦトランシーバとを包含し、
前記第１のアンテナが、前記カスタマ媒体が『スリープ』モードにあるときに振幅変調されたウェイクアップ信号を受信するウェイクアップ・アンテナとして使用され、ウェイクアップ検出モジュールとして働く前記オペアンプによって前記ウェイクアップ・アンテナから受信された前記信号が復調ならびに増幅され、前記『スリープ』モードにおいて部分的に起動されている前記マイクロプロセッサによって処理され、ウェイクアップ信号が有効であるとして検出された場合に前記マイクロプロセッサが完全に起動され、それによって前記カスタマ媒体がアクティブ・モードに入り、
前記オペアンプは、前記『スリープ』モードにおいて完全にアクティブなカスタマ媒体の唯一の構成要素であり、
カスタマ媒体はアイドル・モードを有し、所定のルーチンに従って前記『スリープ』モードまたは前記アクティブ・モードへの前記移行をコントロールするためにマイクロプロセッサのみがアクティブであり、前記『スリープ』モードにおいては前記オペアンプおよび前記マイクロプロセッサの一部だけがアクティブ化されており、前記マイクロプロセッサは前記アイドル・モードおよび前記アクティブ・モードにおいてオンにされ、前記トランシーバは前記『スリープ』モードおよび前記アイドル・モードにおいてオフにされ、前記アクティブ・モードにおいてのみオンにされ、したがって、前記カスタマ媒体のエネルギ消費が最小化される、
ことを特徴とするシステム。
【請求項１４】
前記構成要素の電源のためのバッテリを包含する能動的カスタマ媒体として実行される、
ことを特徴とする、請求項１３に記載の位置情報に基づくサービスを提供するためのシステム。
【請求項１５】
前記カスタマ媒体が、ＨＦパルスを介してエネルギが充填され、その後、所定の時間にわたって自律的に動作可能となるような態様で設計される
ことを特徴とする、請求項１３に記載の位置情報に基づくサービスを提供するためのシステム。
【請求項１６】
前記カスタマ媒体が、データ入出力デバイスとして働くデバイスに接続され、前記カスタマ媒体が、前記デバイス内または前記デバイス上に配設可能であるか、または接触を伴わずに前記と接続可能である、
ことを特徴とする、請求項１３、１４、または１５に記載の位置情報に基づくサービスを提供するためのシステム。
【発明の詳細な説明】
【技術分野】
【０００１】
本発明は、特許請求の範囲の請求項１の前文に従った位置情報に基づくサービスを提供するための方法に関する。また本発明は、位置情報に基づくサービスを提供するためのシステム、特に本発明に従った方法を実行するためのシステムに関する。
【発明の概要】
【発明が解決しようとする課題】
【０００２】
本発明は、基本的に、位置情報に基づくサービスを使用する権限の決定およびサービスの提供の実行が高い空間的正確度を伴い、かつ前記サービスの使用を希望する者の何らかの動作を伴うことなく単純な方法で生じる位置情報に基づくサービスを提供するための方法を指定する課題を担う。それに加えて、方法の実行のプロセスにおいてはエネルギ消費が最小化される必要がある。
【課題を解決するための手段】
【０００３】
この課題は、特許請求の範囲の請求項１の特徴によって解決される。
【０００４】
さらにまた、構造的に単純であり、低い設計コストで位置情報に基づくサービスを使用する権限の決定を可能にする位置情報に基づくサービスを提供するためのシステム、特に本発明に従った方法を提供するためのシステムが指定される必要がある。それに加えてこのシステムは、エネルギ消費が低いことを特徴とする必要がある。本発明に従ったシステムは、特許請求の範囲の請求項１３の内容である。
【図面の簡単な説明】
【０００５】
【図１】
【発明を実施するための形態】
【０００６】
したがって、位置情報に基づくサービスを提供するための方法が提案され、それにおいては、人が位置情報に基づくサービスを使用するための権限の決定の一部がカスタマ媒体の非接触検出およびそこからの媒体情報の評価を基礎として実行され、カスタマ媒体の位置特定がカスタマ媒体の検出に基づいて実行され、少なくとも１つの読み取りデバイスのレンジ内にカスタマ媒体がある場合には、カスタマ媒体の媒体情報が、その場所に割り当てられ、かつコンピュータと接続された少なくとも１つの読み取りデバイスとカスタマ媒体の間における自動的に実行可能な非接触インタラクションに基づいて記録され、それにおいてカスタマ媒体は、ＲＦトランシーバを包含し、所定の周波数レンジで少なくとも１つの読み取りデバイスを介してコンピュータと通信する。
【０００７】
場所に割り当てられた少なくとも１つの読み取りデバイスによるカスタマ媒体の検出に基づく位置情報に基づくサービスの提供は、有効な権限の場合に提供される。これにおいては、カスタマ媒体が少なくとも１つの読み取りデバイスを介してコンピュータによってカスタマ媒体のエネルギ消費が最小化される形でコントロールされる。
【０００８】
カスタマ媒体が、データ通信の目的のためにデータ入出力デバイスとして働く好ましくはモバイル・デバイスを伴ってそのデバイス内またはそのデバイス上に配設可能であるかまたは接触を伴うことなくそのデバイスと接続可能である場合には、そのデバイスおよびカスタマ媒体が、データ伝達の目的のためにカスタマ媒体とそのデバイスの間における接続を可能にするインターフェースを有する必要がある。そのインターフェースは、接点、ＮＦＣまたはＲＦＩＤインターフェース、ブルートゥース（Ｂｌｕｅｔｏｏｔｈ（Ｒ））、またはそのほかの先端技術から周知のデータ通信のためのインターフェースとし得る。ここではデバイスがデータ入出力デバイスとして使用され、インターフェースを介してカスタマ媒体とデバイスの間にデータ交換が生じる。
【０００９】
以下において『デバイスへの接続が可能である』等の表現は、データ通信の目的のためにデバイス内またはデバイス上にカスタマ媒体を配設できるという意味、または接触なしにデバイスと接続できるという意味で使用される。
【００１０】
したがって、本発明に従ったシステムは、カスタマ媒体およびカスタマ媒体の媒体情報を検出するための少なくとも１つの読み取りデバイスを包含する。少なくとも１つの読み取りデバイスもまた、媒体情報を基礎として位置情報に基づくサービスを使用する権限をチェックするために、コンピュータ等のそのほかの構成要素と接続される。有効な権限の場合には、対応する位置情報に基づくサービスが提供され、この目的のために必要とされるデバイスがコンピュータによってコントロールされる。それに代えて、媒体情報の評価が読み取りデバイス内において直接行なわれることが可能である。本発明の意味で言う読み取りデバイスは、一方においてカスタマ媒体からデータを読み取ることが可能であり、他方においてカスタマ媒体へのデータまたはデータ・ストリームの送信に適しているデバイスである。
【００１１】
さらにまた、１つの場所にいくつかの読み取りデバイスが備えられる場合には、それらをコントロールし、権限の分析および検証を実行する少なくとも１つの中央コンピュータが備えられる。この中央コンピュータによってサービスの提供をコントロールすることも可能であり、当該コンピュータは、この目的のために必要とされるデバイスとケーブルを介して、または非接触で接続される。
【００１２】
位置情報に基づくサービスは、たとえば、場所について、その場所に関連付けされた物体について、その場所にある物体について、あるいは視覚、音響、または電子形式で提供されるその場所内のサービスについての追加の情報の提供とすることができる。たとえば、本発明に従った方法により展示会の来訪者が会場へ近づくとすぐに展示物についての情報を獲得することが可能であり、カスタマ媒体がデバイスに接続可能である場合にはそのデバイスによって情報を表示できる。この場合、追加のオプションが予約済みであれば、カスタマ媒体を入場券とすることができる。
【００１３】
カスタマ媒体は、好ましくは、カスタマ媒体に向けて送信された情報を保存するための半永続的メモリを有する。したがって、デバイスとのカスタマ媒体の接続時にこの情報を表示できる。
【００１４】
カスタマ媒体がデバイスに接続される場合には、デバイスが、タッチスクリーンおよび／またはスピーカ・ユニットまたはヘッドフォン・コネクタとして構成可能なディスプレイ等の構成要素を有する。さらにまた、デバイスは、タッチ・キーボードの形でディスプレイ内に組み込むことが可能なキーボードを有することができる。
【００１５】
デバイスは、傾斜センサまたは近接センサ等のセンサを有することもできる。デバイスは、カスタマ媒体を介して位置情報に基づくサービスを使用する権限が存在する場合に有効化可能である。本発明のさらなる発展の一部として、デバイスを携帯電話またはタブレット・コンピュータとすることができる。
【００１６】
たとえば、カスタマ媒体がＮＦＣインターフェースを有していれば、ＮＦＣインターフェースを伴うデバイスの隣に置くことができる。これにおいてはデバイスがデータ入出力デバイスとして使用され、カスタマ媒体とデバイスの間におけるデータ交換がＮＦＣプロトコルを介して生じる。ＮＦＣインターフェースは、署名および暗号化も可能にする。ブルートゥース（Ｂｌｕｅｔｏｏｔｈ）インターフェースは、カスタマ媒体とデバイスの間における別の形の通信を代表する。これにおいては、ユーザの動作をまったく伴うことなく自動的にＮＦＣデータ交換を介してデバイスに対するカスタマ媒体のブルートゥース・インターフェースの『ペアリング』を行なうことが可能であり、カスタマ媒体とデバイスの間の実際のデータ交換はブルートゥースを介して実行される。
【００１７】
本発明によれば、カスタマ媒体の媒体情報の検出および分析に加えて、少なくとも１つの読み取りデバイスによって受信されたカスタマ媒体の信号の信号強度を検出することが可能であり、それによってカスタマ媒体と少なくとも１つの読み取りデバイスの間の距離を決定できる。カスタマ媒体の信号が複数の読み取りデバイスによって受信される場合には、この方法でカスタマ媒体の位置特定を行なうことができるか、またはカスタマ媒体の位置をより正確に決定することが可能であり、それによってより高い正確度を伴って位置情報に基づくサービスを行なうことが可能である。
【００１８】
信号強度に代えて、またはそれに加えて、信号継続時間を評価することが可能であり、それを使用することによって、距離測定を行なうこと、あるいは３つの読み取りデバイスを展開する場合には、厳密な位置の決定、すなわちカスタマ媒体の位置特定も可能になる。この目的で少なくとも１つの読み取りデバイスによる受信時間に基づいて信号継続時間を決定するために、カスタマ媒体から送信された信号もタイムスタンプを提供できる。
【００１９】
好ましくはカスタマ媒体がカード・フォーマットを、たとえばＩＳＯカード・フォーマットを有する。
【００２０】
好ましくはカスタマ媒体が、ＰＣＢ基板上に設計される第１および第２のアンテナを包含する。カスタマ媒体は、好ましくは個人に割り当てられる。カスタマ媒体のアンテナは、ダイポール、折り返しダイポール、『逆Ｆ字』アンテナ、四極子アンテナ、相似パッチ・アンテナ、またはアンテナ・ループおよびコイルとして設計可能である。
【００２１】
これにおいて、第１のアンテナは、好ましくは１３ＭＨｚ‐１０ＧＨｚのレンジにおいて設計され、カスタマ媒体が『スリープ』モードにあるときにウェイクアップ信号を受信するためのウェイクアップ・アンテナとして使用される。ウェイクアップ信号は、好ましくは振幅変調された信号として送信され、かつ所定の信号シーケンスを含み、ウェイクアップ・アンテナからの信号は、検出モジュールとして働くオペアンプによって増幅および復調され、『スリープ・モード』において部分的に起動されているマイクロプロセッサによって評価され、有効なウェイクアップ信号が検出されると、すなわち信号が正しいシーケンスを伴うとき、マイクロプロセッサが完全に起動され、カスタマ媒体のトランシーバがオンになり、それによってカスタマ媒体がアクティブ・モードに入る。
【００２２】
オペアンプは、カスタマ媒体の中で『スリープ』モードにおいて完全にアクティブな唯一の構成要素であり、最小電力消費を有するように構成される。それに加えて、マイクロプロセッサも一部だけが『スリープ・モード』において起動されている。さらにまた、カスタマ媒体はアイドル・モードも有し、それにおいては『スリープ』モードまたはアクティブ・モードへの移行を所定のルーチンに従ってコントロールするためにマイクロプロセッサのみがアクティブになる。したがって、カスタマ媒体のマイクロプロセッサは、異なる動作モードを有する。
【００２３】
第２のアンテナも同様に１３ＭＨｚ‐１０ＧＨｚのレンジで送受信を行ない、かつＲＦトランシーバに接続されており、トランシーバは、カスタマ媒体がアクティブ・モードのときにのみ起動可能になり、したがってカスタマ媒体のエネルギ消費が最小化される。トランシーバのビット・レートは、好ましくは１または２Ｍｂｉｔ／秒とする。対応する読み取りデバイスとのデータ通信は、外部サービスとの衝突を回避し、このようにして迅速な接触を可能にするために、トランシーバを介してわずかに異なる周波数を伴う複数のチャンネルにわたって行なうことが可能である。
【００２４】
データ送信の間の途絶のリスクを低減するために、トランシーバによってデータ・チャンネルの連続変更が可能とされる（周波数ホッピング）。たとえば３つの『アドバタイジングチャンネル』を、２．４ＧＨｚ帯の第２のアンテナを介したデータ送信のために使用して読み取りデバイスとの接触を行なうことが可能であり、５つの『通信チャンネル』を読み取りデバイスとのデータ通信のために使用することが可能である。それに代えて、レポートおよびそれに続くデータの送信が『超広帯域』通信を介して行なわれる。これらは、中心周波数に関する帯域幅の少なくとも２０％の周波数レンジをカバーするか、または５００ＭＨｚを超える帯域幅を利用できる。
【００２５】
第１および第２のアンテナは、カスタマ媒体の媒体情報を獲得するため、カスタマ媒体に保存されているデータを読み取るため、および／またはカスタマ媒体を記述するため、および／またはデータ・ストリームをカスタマ媒体に向けて、たとえばビデオおよび／またはオーディオ・ファイルまたはストリームの形式で送信するために、システムの少なくとも１つの読み取りデバイスとの遠距離データ通信に使用される。本発明に関しては、遠距離データ通信が１メートルを超えるレンジ内のデータ通信を指す。
【００２６】
したがって、カスタマ媒体は、『スリープ』モード、アイドル・モード、およびアクティブ・モードを特徴として有し、『スリープ』モードでは、オペアンプおよびマイクロプロセッサの一部だけが起動されている。カスタマ媒体のマイクロプロセッサは、『スリープ』モードにおいて概ねオフになり、アイドル・モードおよびアクティブ・モードにおいて完全にオンになり、トランシーバは『スリープ』モードおよびアイドル・モードにおいてオフであり、アクティブ・モードにおいてのみオンになる。このようにしてカスタマ媒体のエネルギ消費が可能な限り低く維持される。
【００２７】
カスタマ媒体は、能動的カスタマ媒体として実行することが可能であり、この場合においてはバッテリ、好ましくは３ボルト・バッテリが備えられて構成要素への給電が行なわれる。オプションとしてカスタマ媒体は、カスタマ媒体のバッテリ残量低下状態またはそのほかのデータまたは状態等の視覚的および／または聴覚的表示のためのＬＣＤディスプレイおよび適切なドライバおよび／またはデバイスを特徴として有することができる。
【００２８】
さらなる実施態様の一部として、カスタマ媒体は、少なくとも１つの読み取りデバイスから放出されるＨＦパルスを介してエネルギが充填され、したがって必要なエネルギを読み取りデバイスの影響範囲から獲得可能であり、その後、所定の時間にわたって自律的に動作することが可能になるような態様で設計される。この目的のために、カスタマ媒体は、エネルギを蓄積するためのキャパシタおよび対応するスイッチング回路を特徴として備える。パルスは、好ましくはＵＨＦレンジのパルスとする。
【００２９】
カスタマ媒体が独自の電源を備えていない場合には、付加的に『ウェイクアップ』信号をＨＦパルス内に含めることが可能である。さらにまたカスタマ媒体が独自の電源を備えていない場合は、少なくとも１つの読み取りデバイスによって、それのレンジ内のカスタマ媒体を起動するために、ＨＦ信号が規則的な所定の時間間隔で送信される。
【００３０】
さらにまた、カスタマ媒体がデバイスに接続可能である場合には、カスタマ媒体が動作のために必要なエネルギをデバイスから獲得できる。ＮＦＣ結合の場合においては、これが１３ＭＨｚの通信の場を介して達成される。その種の場を介してカスタマ媒体のバッテリを継続的に再充電することも可能である。
【００３１】
さらにまたカスタマ媒体は、この方法でバッテリを充電する適切な寸法のソーラー・モジュールを有することができる。本発明のさらなる発展の一部としてカスタマ媒体は、それを携帯する者によるカスタマ媒体の使用の適法性をチェックするために、数字キーパッドとして実行可能なＰＩＮを入力するための手段および／または少なくとも１つのバイオメトリック・センサ、たとえば指紋センサを有する。
【００３２】
カスタマ媒体をデバイスに接続することが可能な場合には、デバイスのキーボードまたはセンサを介して入力を与えることができる。カスタマ媒体への転送は、カスタマ媒体とのデータ通信のためのインターフェースを介して行なわれる。
【００３３】
プロセスの開始時に位置情報に基づくサービスを提供するためのシステムの読み取りデバイスのレンジ内にカスタマ媒体が位置していないときは、そのモードは電気的な活動が実質的に生じない『スリープ』モードであり、そのため、カスタマ媒体が独自のエネルギ供給源を有する場合にはカスタマ媒体にエネルギを供給するバッテリが殆ど使用されない。
【００３４】
少なくとも１つの読み取りデバイスがウェイクアップ段階の間にわたって規則的な間隔で『ウェイクアップ』信号を送信する。いくつかの読み取りデバイスが提供される場合には、読み取りデバイスをコントロールする中央コンピュータが規則的な間隔で『ウェイクアップ』信号を送信し、続いてそれが、中央コンピュータに接続されているすべての読み取りデバイスから送信される。カスタマ媒体がこの信号を受信すると、『ウェイクアップ』信号が有効であるとして検出されれば、そのことがカスタマ媒体のアクティブ化およびアクティブ・モードへの移行を導き、したがってカスタマ媒体がスリープ・モードから出る。
【００３５】
その後に続いてカスタマ媒体からセッションＩＤを計算するデータが送信され、それが少なくとも１つの読み取りデバイスによって受信され、少なくとも１つの読み取りデバイスとコンピュータとを接続するバス・システム、ＷＬＡＮ、またはそのほかのネットワーク・システムを介してコンピュータへ送られる。
【００３６】
セッションＩＤの計算は、好ましくは周知の『チャレンジ−リスポンス』方法に基づく。したがってコンピュータは、カスタマ媒体によって送信された最初のデータセットの受信に対して別のデータセットを用いて応答する。いずれの場合においても、両方のデータセットが、カスタマ媒体内およびコンピュータ内にのみ存在し、セッションＩＤの決定に使用されるさらなる情報（アルゴリズム・キー）を用いてオフセットされる。カスタマ媒体内またはコンピュータ内にのみ存在する情報は、それを漏れ聞くサードパーティでは調和せず、その結果１つのセッションＩＤとともに、カスタマ媒体およびコンピュータにのみわかっている１つのデータセットが存在する。これは、さらに認証等の安全機能のために使用される。セッションＩＤの計算の後は、カスタマ媒体から媒体情報を送信できる。
【００３７】
本発明の変形によれば、少なくとも１つの読み取りデバイスとカスタマ媒体の間における通信が暗号化され、かつオプションで署名されるが、各カスタマ媒体のための暗号化は異なる。署名の場合には、追加的に署名される各メッセージが一意的で安全なデータセットを構成するように通信毎でインクリメントされるタイムスタンプが使用される。
【００３８】
これにおいて、本発明のさらなる発展の一部として通信の開始前に相互認証を行なうことが可能であり、その結果、このカスタマ媒体が既知であり、かつ認証済みであるとして署名され、それによりカスタマ媒体と少なくとも１つの読み取りデバイスまたは少なくとも１つの読み取りデバイスが接続されたコンピュータの間における認証の一部として安全な接続が設定されて必要とされる情報をカスタマ媒体から安全に送信できるようになる。カスタマ媒体は、セッションＩＤを介して一意的に認識され、セッションＩＤが有効な認証の持続期間にわたって有効であり、ほかの転送される情報とは独立している。アクティブ・モードからアイドル・モードへの移行においては発生済みの認証が削除されず、認証はスリープ・モードへの移行時に削除され、カスタマ媒体がスリープ・モードに入った後は、更新されたウェイクアップ信号およびその後に続く更新された相互認証を用いてのみ検出および登録が可能になる。
【００３９】
本発明の変形の一部として、コンピュータとカスタマ媒体の間の通信が、相互認証の暗号化およびオプションの署名の後に行なわれ、それにおいて署名および暗号化はカスタマ媒体毎に異なり、再認証後の再登録は新しい異なる暗号化および可能性としての署名を有する。
【００４０】
カスタマ媒体は、認証および暗号化を実現するためのマイクロプロセッサに接続される集積回路を有し、それが少なくとも１つの暗号エンジンを、好ましくは３つの暗号エンジンを、たとえばＧＲＡＩＮ１２８、ＧＲＡＩＮ１２８Ａ、３‐ＤＥＳ、またはＡＥＳ‐１２８のために包含する。
【００４１】
以下においては本発明の方法を、認証が行なわれ、少なくとも１つの読み取りデバイスが接続されたコンピュータとカスタマ媒体の間における通信が暗号化の下に生じる事例について詳しく述べる。しかしながら、この方法のすべてのステップは、ほかの実施態様の一部として認証なしで、また暗号化／復号化なしで実行できる。
【００４２】
さらにまた、暗号化または認証が提供されない本発明のさらなる実施態様の一部として、セッションＩＤをカスタマ媒体の媒体情報とすること、たとえば、アクティブ・モードへの移行後に直ちにコンピュータへ送信される一対一の数とすることが可能である。
【００４３】
これにおいては、認証後にカスタマ媒体が暗号化された媒体情報を送信し、それが少なくとも１つの読み取りデバイスによって受信され、その読み取りデバイスのＩＤおよびその読み取りデバイスが信号を受信した信号強度および／またはカスタマ媒体と少なくとも１つの読み取りデバイスの間におけるデータの持続時間によって補足されて、少なくとも１つの読み取りデバイスに割り当てられたコンピュータへ転送されることが企図される。コンピュータ内においては媒体情報が復号化されて処理され、それにより、現在の位置情報に基づくサービスの使用権限の場合にカスタマ媒体に割り当てられた人にそれが提供される。カスタマ媒体の位置特定を可能にするために信号強度および／または信号継続時間が必要である。一対一の数とし得る媒体情報によって、カスタマ媒体が一対一で識別されることが可能であり、それによって媒体情報を基礎として、たとえばサービスを使用するための権限があるか否かを決定することが可能である。
【００４４】
たとえば、読み取りデバイスを介してカスタマ媒体に位置情報に基づく情報を送信できる。博物館またはトレード・ショーのブースの場合には、少なくとも１つの読み取りデバイスが割り当てられた展示物または展示物のグループまたは読み取りデバイスが割り当てられたトレード・ショーのブースを参照する情報を、ビデオおよび／またはオーディオ・ファイルまたはビデオおよび／またはオーディオ・データ・ストリームの形式でカスタマ媒体に送信することが可能であり、またカスタマ媒体がデバイスと接続されている場合にはインターフェースを介してそれをデバイスに転送し、デバイスによって表示または再生することが可能である。読み取りデバイスの数を増加することによって、空間分解能を向上させることが可能であり、それによって非常に小さい場所に関係するサービスを提供できる。
【００４５】
いくつかの読み取りデバイスが媒体情報を受信した場合には、カスタマ媒体の隣の場所に位置情報に基づくサービスが提供され、当該隣の場所は、読み取りデバイスが媒体情報を受信した信号強度に基づいて、および／またはカスタマ媒体と読み取りデバイスの間のデータの持続時間に基づいて決定される。たとえば博物館の場合であれば、もっとも強い強度のカスタマ媒体の信号を受信した読み取りデバイスが割り当てられている展示物についての情報が提供される。
【００４６】
さらにまた、位置情報に基づくサービスをその場所にある情報端末、たとえばディスプレイ・デバイスのアクティブ化とすることができ、そのディスプレイ・デバイスに割り当てられた読み取りデバイスによってカスタマ媒体が検出され、権限が存在する場合に、有効な権限に応答してディスプレイ・デバイスがアクティブ化される。
【００４７】
この方法のさらなる発展の部分として、媒体情報の評価後に、アイドル・モードへの移行に続き、少なくとも１つの読み取りデバイスを介してコンピュータに暗号化された署名付き媒体情報を送信する次の接触までの所定の持続時間を有するタイムスタンプを含む受領応答が送信される。その後に続いてカスタマ媒体が所定の持続時間にわたってアイドル・モードに入れられるが、そのモードへの移行は、受領応答の受信時に直ちに、または受領応答を含む信号に含まれる所定の時間期間後か、または位置情報に基づく情報の送信後か、またはサービスの使用の完了後か、またはサービスの使用の完了後の新しい信号の後にもたらされる。
【００４８】
カスタマ媒体は、位置情報に基づくサービスの使用がカスタマ媒体の動作を必要としないとき、受領応答を受信するとアイドル・モードに入るが、これはたとえば場所固有のディスプレイ・デバイスのアクティブ化のときに受領応答の受信直後に生じ、エネルギ消費は非常に低く、アイドル・モードへの切り換え時に発生済みの認証が削除されることはない。位置情報に基づくサービスの利用がカスタマ媒体の動作を必要とする場合には、カスタマ媒体が、所定の時間期間後、位置情報に基づく情報の送信後、サービスの使用の完了後、またはサービスの使用の完了後の新しい信号の後にアイドル・モードに入る。
【００４９】
カスタマ媒体は、アイドル・モードへの移行後の次の接触までの所定の時間の後にアクティブ・モードに入り、それの媒体情報を暗号化し、オプションの署名を行なってコンピュータへ少なくとも１つの読み取りデバイスを介して送信する。これが、ほかの位置情報に基づくサービスを提供するために、たとえば、トレード・ショーにおいてはほかのトレード・ショーのブースについての情報を、展示会においては展示物の情報をこの方法で提供するためにカスタマ媒体の位置を明らかにする。
【００５０】
第１の所定の時間後にアイドル・モードを出てアクティブ・モードに移行し、媒体情報を再送することによって、信号強度および／または信号の持続時間に基づいて場所固有のサービスを提供するために使用される位置情報が獲得されることからカスタマ媒体が『追跡』される。
【００５１】
カスタマ媒体の対応する信号が少なくとも１つの読み取りデバイスによって検出されてコンピュータへ転送され、それによってカスタマ媒体のＩＤが受領応答の再送とともに返され、すなわちコンピュータによってそれが生成され、読み取りデバイスによって送信される。さらにまた、少なくとも１つの読み取りデバイスが割り当てられている場所に対応する位置情報に基づくサービスが提供される。
【００５２】
受領応答の受信後はカスタマ媒体がアイドル・モードに入れられるが、そのモードへの移行は、受領応答の受信直後または所定の時間期間後、または位置情報に基づく情報の送信後、またはサービスの使用の完了後またはサービスの使用の完了後の新しい信号の後に生ずることが可能であり、その後、再び読み取りデバイス経由でコンピュータに暗号化およびオプションの署名が行なわれたＩＤをレポートするために所定の時間期間後にもとのモードに戻る。署名計算のソーティング・課題に加えて、署名の一意性が確保されることから読み取りデバイスの応答毎にインクリメントされるタイムスタンプが本発明の変形に従って使用される。
【００５３】
次の接触までの所定の時間および対応する信号の受信後のアイドル・モードへの移行のための所定の時間期間は、たとえばこの方法における位置情報に基づくサービスのタイプに適合するべく動的に調整可能である。たとえば、次の接触までの時間期間は、展示会またはトレード・ショーの場合には短くする必要があり、来訪者が展示物の前またはトレード・ショーのブースにとどまる平均時間を考慮に入れる必要がある。
【００５４】
さらにまた、対応する信号の受信後のアイドル・モードへの移行のための所定の時間期間は、位置情報に基づくサービスの使用が完了するまでカスタマ媒体がアクティブのまま送受に即応できる形でとどまるように、提供されるべきサービスの関数として測定される。たとえば、展示物についての情報を含むビデオ・ファイルが完全にカスタマ媒体に送信されてしまうまでである。
【００５５】
受領応答は、各カスタマ媒体またはデバイスのために個別に暗号化され、それによってＩＤを送信したカスタマ媒体またはデバイスだけが受領応答を受信することを確実にする。この方法においては、この１つのカスタマ媒体だけがアイドル・モードに入れられ、言い換えると承認されたカスタマ媒体だけが追加の情報を受信する。
【００５６】
上記の処理はカスタマ媒体がスリープ・モードに切り替わるまで反復され、その切り替わりは、カスタマ媒体が所定の数の暗号化済み媒体情報の送信を試みても、少なくとも１つの読み取りデバイスを介してコンピュータからそれに対する受領応答を獲得できなかった場合に生じる。この処理の観点から見れば、これは、カスタマ媒体が割りあてられた人がその場所を離れたときに生じる。
【００５７】
カスタマ媒体がスリープ・モードに入ってしまった場合には、すでに述べたとおり、更新されたウェイクアップ信号およびその後に続く更新された相互認証を用いてのみそれの検出および登録が可能であり、更新後の登録は、新しい、異なる暗号化およびオプションの署名を有する。その結果、特定の暗号化および署名は、１つのカスタマ媒体および１つの登録に対してのみ有効になる。登録は、カスタマ媒体がスリープ・モードに入らない限り持続する。ウェイクアップ信号は、スリープ・モードにおいてのみ処理可能である。
【００５８】
ウェイクアップ信号は、たとえば２．４ＧＨｚレンジの信号であり、可能ないくつかの、好ましくは３つの『アドバタイジングチャンネル』のうちの１つに送信される。カスタマ媒体が有効なウェイクアップ信号を認識し、アクティブ・モードに移行した後、セッションＩＤの計算に使用されるデータが同様に『アドバタイジングチャンネル』のうちの１つに送信され、それによってカスタマ媒体は、次のデータ交換のための通信チャンネルの提案を行なう。基礎をなすアルゴリズムは、通信チャンネルとの干渉が確率論的に防止可能となる方法で設計される。
【００５９】
ウェイクアップ信号および結果としてもたらされるカスタマ媒体の自動アクティブ化およびその後に続く少なくとも１つの読み取りデバイスとの通信によって、獲得済みの位置情報に基づくサービスが自動的に提供される。
【００６０】
さらにまた、場所固有のサービスが提供される現場（すなわち、本発明に従ったシステムが実行される現場）内の位置情報に基づくサービスが提供される空間的に区切られた現場の出口、たとえばトレード・ショーのセクションまたは博物館の展示室の出口、または場所固有のサービスが提供される現場、すなわち本発明に従ったシステムが実行される現場内の場所固有のサービスが提供されない空間的に区切られた場所の入口、たとえばトレード・ショーのレストランまたは博物館の売店の入口等の、所定の現場においてに少なくとも１つの読み取りデバイスが配設され、読み取りデバイスがカスタマ媒体から媒体情報を受信した場合に、システムからカスタマ媒体へ、場所固有のサービスが提供される空間的に区切られた現場の外にとどまる平均の長さまたは場所固有のサービスが提供されない現場内にとどまる平均の長さに対応する第２の所定の時間にわたってカスタマ媒体をアイドル・モードに入れる命令が送出されることを提供できる。このようにしてカスタマ媒体のエネルギ消費が低く維持される。
【００６１】
さらにまた、場所固有のサービスが提供されている現場、すなわち本発明に従ったシステムが実行されている現場の出口に少なくとも１つの読み取りデバイスを配設し、それがカスタマ媒体から媒体情報を受信した後にシステムが生成したカスタマ媒体を『スリープ』モードに入れる命令を送信し、それによりカスタマ媒体のエネルギ消費を押さえることが可能である。本発明のさらなる発展の部分として、追加的にカスタマ媒体をプリペイド媒体または電子ウォレットとして使用でき、この目的のために特定の金額でそれのチャージが可能であり、かつ少なくとも１つの読み取りデバイスを介したコンピュータとの通信によりそれからの電子的な引き落としが可能である。これにより、場所内に提供されている物品または位置情報に基づくサービスを、コンピュータとの通信を経由して獲得できる。
【００６２】
本発明に従ったシステムは、たとえば博物館、トレード・ショー、遊園地等において使用することが可能である。
【００６３】
好都合な態様においては、所定の背景の前にいるカスタマ媒体に割り当てられた人の写真を撮るために遊園地、博物館、または、たとえば観光客用の呼び物の正面の固定カメラに割り当てられた少なくとも１つの読み取りデバイスによって固定カメラを起動することが可能であり、それにおいて対応するオプションが予約であるか、またはカスタマ媒体が電子ウォレットとして構成されている場合には、カスタマ媒体の検出およびサービスの使用に有効な認証後にそのカメラに割り当てられた少なくとも１つの読み取りデバイスを介してこの写真がデジタル形式でカスタマ媒体に送信され、電子ウォレットの場合には対応する金額がカスタマ媒体から引き落とされる。カスタマ媒体とデバイスの接続、たとえば携帯電話との接続が可能である場合には、カスタマ媒体とそのデバイスの間におけるインターフェースを介して写真をそのデバイスに送信し、それに保存し、表示させることが可能である。それに代えて、写真を中央ロケーションに保存し、その後、適切な認証後にそれにアクセスすることができる。
【００６４】
カスタマ媒体の検出を介して多様な位置情報に基づくサービスが提供され、かつ予約され得る。たとえば、カスタマ媒体が電子ウォレットとして構成されているとき、メニュー・コントロールにより予約または購入が可能な情報および売り物を、トレード・ショーのブース、売店のウインドウ、製品またはサービスに割り当てられた少なくとも１つの読み取りデバイスによるカスタマ媒体の検出、およびカスタマ媒体に伴う有効な認証の後に送信できる。このシナリオにおいては、カスタマ媒体と接続されるデバイスが、表示および予約のためのデータ入出力デバイスとして使用される。たとえば、カスタマ媒体に割り当てられた人に、映画に割り当てられた読み取りデバイスによってそのカスタマ媒体が検出されたことが、いつ、何の映画が上映開始されるか、空席があるか否かということとともに通知され、続いて座席の予約が可能になる。
【００６５】
さらにまた、本発明に従ったカスタマ媒体が人に一対一で割り当てられている場合には、本発明に従ったシステムによりそれを人の識別のための手段として使用できる。たとえば指紋センサ等のバイオメトリック・センサが備わっている場合には誤使用を回避できる。この例においては、ウェイクアップ信号の受信後、カスタマ媒体内の指紋またはそのほかのバイオメトリック特徴の評価の後に限り、カスタマ媒体と読み取りデバイスの間における通信が開始可能になることを企図できる。
【００６６】
それに加えて、商品、チケット、または搭乗券の自動化された発行のために本発明に従った方法を使用可能であり、それにおいては、自動販売機に割り当てられた少なくとも１つの読み取りデバイスによるカスタマ媒体の検出後に、商品、チケット、または搭乗券を使用する有効な権限に対してそれらが発行される。それに代えて、カスタマ媒体が電子ウォレットとして構成されている場合には、カスタマ媒体の検出後に商品、チケット、または搭乗券に対応する金額をカスタマ媒体から引き落とすことが可能であり、その後に続いて商品、チケット、または搭乗券が発行される。これにおいて自動販売機は、本発明に従ったシステムのコンピュータに接続されている。
【００６７】
以下、添付図面を参照して本発明をより詳細に説明する。
【００６８】
この図には、本発明に従ったシステムが実行される博物館の略図的な平面図が示されている。博物館は、入口Ａ、レストランＢ、展示室Ｃ、案内所Ｄ、館内売店Ｅ、および映画館Ｆを包含する。
【００６９】
来訪者が自分に割り当てられているカスタマ媒体を携えて博物館内に入るとき、カスタマ媒体Ｇは入口Ａにあり、たとえば入口の正面で『スリープ』モードになっている。来訪者が入口を通過し、ロビーＨに位置すると、ロビー内に取り付けられた少なくとも１つの読み取りデバイスから規則的な間隔で発射されるウェイクアップ信号をカスタマ媒体Ｇが受信する。ウェイクアップ信号は、誤って、たとえば意図しない遮蔽に起因して『スリープ』モードに入れられたカスタマ媒体Ｇの再度のアクティブ化が可能となるようにシステムの全読み取りデバイスによって送信される。
【００７０】
カスタマ媒体Ｇは、カスタマ媒体Ｇからの『ウェイクアップ』信号を受信すると、有効な『ウェイクアップ』信号の認識に応答して起動され『スリープ』モードを離れる。このときのカスタマ媒体Ｇはアクティブ・モードである。その後に続いてセッションＩＤを計算するデータがカスタマ媒体Ｇから送信され、それが少なくとも１つの読み取りデバイスによって受信され、少なくとも１つの読み取りデバイスと本発明に従ったシステムをコントロールする中央コンピュータを接続するバス・システムを介して中央コンピュータへ転送される。
【００７１】
カスタマ媒体Ｇと少なくとも１つの読み取りデバイスまたは中央コンピュータの間における通信の開始前に、相互認証が実行され、その結果、カスタマ媒体Ｇが既知および認証済みとしてタグ付けされる。カスタマ媒体は、セッションＩＤを介して一意的に認識され、セッションＩＤは有効な認証の持続期間にわたって有効であり、ほかの転送される情報とは独立している。
【００７２】
認証が成功すると、カスタマ媒体Ｇが暗号化された媒体情報を送信し、それが少なくとも１つの読み取りデバイスを介して受信されて読み取りデバイスのＩＤおよびその読み取りデバイスが信号を受信した信号強度またはカスタマ媒体と読み取りデバイスの間における信号継続時間によって補足されて、少なくとも１つの読み取りデバイスと接続された中央コンピュータへ転送される。コンピュータ内においては、媒体情報が復号化されて処理され、現在の位置情報に基づくサービスの使用権限の場合にカスタマ媒体に割り当てられた人にこれが提供され、たとえばＮＦＣまたはブルートゥース（Ｂｌｕｅｔｏｏｔｈ（Ｒ））を介してカスタマ媒体Ｇと接続されたデバイスが、オーディオまたはビデオ・ファイルまたはストリームとすることができる情報の表示または再生のためのデータ入出力デバイスとして使用される。この場合においては、次の場所（もっとも近い展示物）に対応するサービスが提供され、当該次の場所は、読み取りデバイスが媒体情報を受信した信号強度に基づいて、および／またはカスタマ媒体Ｇと読み取りデバイスの間のデータの持続時間に基づいて決定される。
【００７３】
いくつかの読み取りデバイスがカスタマ媒体Ｇの媒体情報を受信した場合には、位置情報に基づくサービスがカスタマ媒体Ｇの隣の場所に提供され、当該隣の場所は、読み取りデバイスが媒体情報を受信した信号強度に基づいて、および／またはカスタマ媒体と読み取りデバイスの間のデータの持続時間に基づいて決定される。たとえば、博物館の場合であれば、カスタマ媒体Ｇからもっとも強い信号を受信した読み取りデバイスに割り当てられている展示物についての情報が提供される。
【００７４】
媒体情報の評価後に、タイムスタンプおよび、アイドル・モードへの移行から、少なくとも１つの読み取りデバイスを介して中央コンピュータに暗号化されて、オプションで署名が付けられた媒体情報を送信する次の接触までの第１の所定の時間を含む受領応答が少なくとも１つの読み取りデバイスを介してブロードキャストされる。その後に続いてカスタマ媒体Ｇがアイドル・モードに入れられるが、そのモードへの移行は、受領応答の受信時に直ちに、または所定の時間の後、または位置情報に基づく情報の送信後、またはサービスの使用の完了後、またはサービスの使用の完了後の新しい信号の後にもたらされる。
【００７５】
カスタマ媒体Ｇは、アイドル・モードへの移行後の次の接触までの所定の時間の後にアクティブ・モードに入り、それの媒体情報を暗号化し、オプションの署名を行なって中央コンピュータへ少なくとも１つの読み取りデバイスを介して送信する。第１の所定の時間後にアイドル・モードを出てアクティブ・モードに移行する間に媒体情報を再送することによって、信号強度および／または信号の持続時間に基づいて場所固有のサービス、たとえば展示室Ｃ内の展示物についての情報を提供するために使用される位置情報が獲得されることからカスタマ媒体が『追跡』される。
【００７６】
カスタマ媒体の対応する信号が少なくとも１つの読み取りデバイスによって検出されてコンピュータへ転送され、カスタマ媒体のＩＤの受信が受領応答の再送とともに返され、すなわちコンピュータによってそれが生成され、読み取りデバイスによって送信される。これにおいては、すでに詳説したとおり、カスタマ媒体が位置する場所に応じて対応するサービスが提供される。
【００７７】
受領応答の受信後に、カスタマ媒体Ｇは再びアイドル・モードに入り、そのモードから指定時間間隔の後に、再び読み取りデバイス経由での中央コンピュータへの、暗号化され、オプションの署名付きＩＤのレポートのために戻る。すでに説明したとおり、カスタマ媒体Ｇはアイドル・モードに入れられるが、そのモードへの移行は、受領応答の受信時に直ちに、または所定の、動的に適応可能な時間期間の後、または位置情報に基づく情報の送信後、またはサービスの使用の完了後、またはサービスの使用の完了後の新しい信号の後にもたらされる。
【００７８】
次の接触までの所定の時間は、たとえば位置情報に基づくサービスのタイプを可能にするために動的に調整可能である。たとえば、博物館内の展示会を訪れているとき、その持続時間は短く、来訪者が展示物の前にとどまる平均時間および／または１つの展示物から次の展示物へのユーザの経路が考慮に入れられる。次の接触までの所定の時間の動的な調整は、たとえば展示会等における特定の展示物の正面にとどまる既知の平均の長さを考慮に入れるために、現在の場所への依存度を特徴とすることができる。
【００７９】
受領応答は、カスタマ媒体Ｇ毎に個別に暗号化され、それによってＩＤを送信したカスタマ媒体またはデバイスだけが受領応答を受信することを確実にする。このようにしてこの１つのカスタマ媒体Ｇだけがアイドル・モードに入れられるか、またはこのようにして承認されたカスタマ媒体Ｇだけが追加の情報の形式でサービスを受け取る。
【００８０】
上記の処理はカスタマ媒体Ｇがスリープ・モードに切り替わるまで反復され、その切り替わりは、カスタマ媒体Ｇが、暗号化済み媒体情報の送信に対する、少なくとも１つの読み取りデバイスを介したコンピュータからの受領応答の獲得の試みを所定の数だけ行なってもそれが可能でなかった場合に生じる。この場合においては、来訪者が博物館をあとにして、カスタマ媒体Ｇが博物館の建物の外にある。
【００８１】
来訪者が展示室Ｃを訪問した後に館内レストランＢを訪ねた場合には、レストランＢの入口に配設された少なくとも１つの読み取りデバイスによってカスタマ媒体Ｇが検出され、カスタマ媒体Ｇからの媒体情報が少なくとも１つの読み取りデバイスによって受信されると、システムからカスタマ媒体Ｇへ、レストランＢ内にとどまる平均の長さに対応する第２の所定の時間にわたってカスタマ媒体Ｇをアイドル・モードに入れる命令が送信される。このようにしてカスタマ媒体Ｇのエネルギ消費が低く維持される。
【００８２】
第２の所定の時間が経過すると、カスタマ媒体Ｇが再びアクティブ・モードに入って媒体情報を送信し、それがたとえば、案内所Ｄ内の読み取りデバイスによって受信され、それによってカスタマ媒体Ｇの位置が特定される。これにおいては有効な認証に応答してシステムが所望の情報をカスタマ媒体へ送信するが、それをカスタマ媒体Ｇに接続されたデバイスに表示できる。データの入出力デバイスとして使用されるデバイスによって、ユーザは、館内映画館Ｆのショーのためのチケット等の売り物を予約することが可能であり、それの支払がまだ行なわれていない場合であり、かつカスタマ媒体Ｇが電子ウォレットとして構成されている場合には、カスタマ媒体の獲得の間に、カスタマ媒体Ｇからの引き落としによって支払が行なわれる。
【００８３】
来訪者が映画館Ｆに入ると、映画館Ｆの入口に配設された少なくとも１つの読み取りデバイスによってカスタマ媒体Ｇが検出され、送信された媒体情報に基づいて映画館に対する認証が存在するか否かの検証が行なわれる。これが否であれば、視覚的および／または音響的な警報がトリガされる。それに代わり、認証の評価により有効な認証であった場合には、映画館への来訪者の通過を可能にするためにアクセス・コントロール・デバイスを起動できる。その後に続いて、少なくとも１つの読み取りデバイスを介してカスタマ媒体Ｇへ、ショーの持続時間にわたってカスタマ媒体Ｇをアイドル・モードに設定する信号を送信できる。この所定の時間の後にカスタマ媒体がアクティブ・モードに再入する。
【００８４】
前述した処理と同様に、映画館のホール内にいる人のカスタマ媒体をスリープ・モードに入れる代替として、所定の間隔でアイドル・モードとアクティブ・モードの間でカスタマ媒体を切り換えることが可能であり、それにより映画館内の来訪者の数についての情報を獲得でき、この方法で空席の数を決定し、案内所内において、この情報を来訪者に対して表示することが可能である。対応する多数の読み取りデバイスを用いて座席のふさがりを決定することも可能である。
【００８５】
映画館の訪問が完了した後、カスタマ媒体Ｇはアクティブ・モードにあり、この例の来訪者は、たとえば館内売店Ｅに入ることができる。これにおいて、対応するオプションがあらかじめ予約することであるか、またはカスタマ媒体Ｇが電子ウォレットとして構成されている場合に、固定カメラに割り当てられた少なくとも１つの読み取りデバイスによるカスタマ媒体の検出の後、サービスを使用する有効な権限に応答して、所定の背景の正面にいるカスタマ媒体Ｇに割り当てられた人の写真を撮影するために固定カメラを起動し、それによってこの写真を、そのカメラに割り当てられた少なくとも１つの読み取りデバイスを介してデジタル形式でカスタマ媒体Ｇへ送信するか、またはその後に見るためにサーバに保存することができる。カスタマ媒体Ｇとデバイスの接続、たとえば携帯電話との接続が可能である場合には、カスタマ媒体Ｇとそのデバイスの間におけるインターフェースを介して写真をそのデバイスに送信し、それに保存し、表示させることが可能である。
【００８６】
来訪者が博物館の建物を離れ、暗号化済み媒体情報の送信に対する、少なくとも１つの読み取りデバイスを介した中央コンピュータからの受領応答の獲得の試みを所定の数だけ行なってもカスタマ媒体Ｇにそれが可能でなかった場合には、最後の所定の時間の後にカスタマ媒体Ｇがスリープ・モードに切り替わる。
【図１】
2015032320.tif 000003
【手続補正書】
【提出日】平成26年11月20日(2014.11.20)
【手続補正１】
【補正対象書類名】明細書
【補正対象項目名】０００５
【補正方法】変更
【補正の内容】
【０００５】
【図１】本発明のシステムが実行される博物館の略図的な平面図である。
【外国語明細書】
2015032320000001.pdf